(57)【要約】【課題】施工容易で外観意匠性及び防水性に優れた外壁施工構造及びこれに用いる乾式目地部材を提供すること。【解決手段】複数の外壁板２を接合してなる外壁施工構造１であり、隣合う外壁板２の間の目地部１７には、ベース部材３１と複数のトップ部材３２とを有する乾式目地部材３が配設されている。ベース部材３１は基板部３１１と一対の壁条部３１２とを有すると共に嵌合溝部３１４を形成してなる。トップ部材３２は、それぞれ表面目地形成部３２１と凸条部３２２とを有する。複数のトップ部材３２は、凸条部３２２をベース部材３１の嵌合溝部３１４に嵌合させると共に表面目地形成部３２１を外壁板２の端面２３に密着させている。外壁施工構造１は、互いに異なる色調の表面目地形成部３２１を有するトップ部材３２を隣接配置していると共に、隣合うトップ部材３２は互いに合決り接合されている。【選択図】図１
2005240429.tif 000002
【特許請求の範囲】
【請求項１】
複数の外壁板を接合して外壁面を構成してなる外壁施工構造において、
隣合う上記外壁板の間の目地部には、建物の構造躯体に固定されるベース部材と、該ベース部材に嵌合固定される複数のトップ部材とを有する乾式目地部材が配設されており、
上記ベース部材は、帯状の基板部と、該基板部の長手方向に沿って形成された一対の壁条部とを有すると共に、該一対の壁条部の間に嵌合溝部を形成してなり、
上記トップ部材は、それぞれ、上記目地部を閉塞するための弾力性を有する表面目地形成部と、該表面目地形成部の長さ方向に沿って設けた凸条部とを有し、
上記複数のトップ部材は、上記凸条部を上記ベース部材の上記嵌合溝部に嵌合させると共に上記表面目地形成部を上記外壁板の端面に密着させた状態で配設されており、
かつ、上記目地部には、互いに異なる色調の上記表面目地形成部を有する上記トップ部材が隣接配置されていると共に、隣合う該トップ部材は、互いに合決り接合又は本実接合されていることを特徴とする外壁施工構造。
【請求項２】
請求項１において、上記外壁面は、互いに色調の異なる領域を複数有しており、隣合う上記トップ部材の上記表面目地形成部の前面の端部は、上記領域の境界である色調境界線と連続する位置において互いに突き合わされていることを特徴とする外壁施工構造。
【請求項３】
請求項１又は２において、隣合う上記トップ部材は、互いに合決り接合されており、一方の上記トップ部材の上記実部は下実部であり、他方の上記トップ部材の上記実部は上実部であることを特徴とする外壁施工構造。
【請求項４】
請求項３において、上記下実部は、上記トップ部材の端部における上記凸条部及び上記表面目地形成部の後部からなり、上記上実部は、上記トップ部材の端部における上記表面目地形成部の前部からなることを特徴とする外壁施工構造。
【請求項５】
請求項３において、上記下実部は、上記トップ部材の端部における上記凸条部からなり、上記上実部は、上記トップ部材の端部における上記表面目地形成部からなることを特徴とする外壁施工構造。
【請求項６】
請求項３において、上記下実部は、上記トップ部材の端部における上記凸条部の後部からなり、上記上実部は、上記トップ部材の端部における上記凸条部の前部及び上記表面目地形成部からなることを特徴とする外壁施工構造。
【請求項７】
請求項３〜６のいずれか一項において、上記下実部には、前方へ突出した前方係合部が形成され、上記上実部には、後方へ突出した後方係合部が形成されており、上記前方係合部と上記後方係合部とは互いに係合されていることを特徴とする外壁施工構造。
【請求項８】
請求項３において、隣合う上記トップ部材は、互いに本実接合されており、一方の上記トップ部材の上記実部は雄実部であり、他方の上記トップ部材の上記実部は雌実部であることを特徴とする外壁施工構造。
【請求項９】
請求項３〜８のいずれか一項において、互いに接合される上記実部の少なくとも一方には、コーキング材が打設されていることを特徴とする外壁施工構造。
【請求項１０】
請求項３〜９のいずれか一項において、上記一対の壁条部の外側における上記基板部には、それぞれ弾力性を有するバックアップ材が設けてあり、該バックアップ材は、上記外壁板の側端部における裏側面に密着していることを特徴とする外壁施工構造。
【請求項１１】
隣合って配設された外壁板の間の目地部に配設される乾式目地部材であって、
該乾式目地部材は、建物の構造躯体に固定されるベース部材と、該ベース部材に嵌合固定される複数のトップ部材とを有し、
上記ベース部材は、帯状の基板部と、該基板部の長手方向に沿って形成された一対の壁条部とを有すると共に、該一対の壁条部の間に嵌合溝部を形成してなり、
上記トップ部材は、それぞれ、上記目地部を閉塞するための弾力性を有する表面目地形成部と、該表面目地形成部の長さ方向に沿って設けた凸条部とを有し、
上記複数のトップ部材は、上記凸条部を上記ベース部材の上記嵌合溝部に嵌合させると共に上記表面目地形成部を上記外壁板の端面に密着させることができるよう構成されており、
かつ、上記乾式目地部材は、互いに異なる色調の上記表面目地形成部を有する上記トップ部材を有すると共に、隣合う該トップ部材は、互いに合決り接合又は本実接合することができるよう、それぞれの端部に実部を設けてなることを特徴とする乾式目地部材。
【請求項１２】
請求項１１において、隣合う上記トップ部材は、互いに合決り接合されており、一方の上記トップ部材の上記実部は下実部であり、他方の上記トップ部材の上記実部は上実部であることを特徴とする乾式目地部材。
【請求項１３】
請求項１２において、上記下実部は、上記トップ部材の端部における上記凸条部及び上記表面目地形成部の後部からなり、上記上実部は、上記トップ部材の端部における上記表面目地形成部の前部からなることを特徴とする乾式目地部材。
【請求項１４】
請求項１２において、上記下実部は、上記トップ部材の端部における上記凸条部からなり、上記上実部は、上記トップ部材の端部における上記表面目地形成部からなることを特徴とする乾式目地部材。
【請求項１５】
請求項１２において、上記下実部は、上記トップ部材の端部における上記凸条部の後部からなり、上記上実部は、上記トップ部材の端部における上記凸条部の前部及び上記表面目地形成部からなることを特徴とする乾式目地部材。
【請求項１６】
請求項１２〜１５のいずれか一項において、上記下実部には、前方へ突出した前方係合部が形成され、上記上実部には、後方へ突出した後方係合部が形成されており、上記前方係合部と上記後方係合部とは互いに係合可能に構成されていることを特徴とする乾式目地部材。
【請求項１７】
請求項１２において、隣合う上記トップ部材は、互いに本実接合されており、一方の上記トップ部材の上記実部は雄実部であり、他方の上記トップ部材の上記実部は雌実部であることを特徴とする乾式目地部材。
【請求項１８】
請求項１２〜１７のいずれか一項において、互いに接合される上記実部の少なくとも一方には、コーキング材が打設されていることを特徴とする乾式目地部材。
【請求項１９】
請求項１１〜１８のいずれか一項において、上記一対の壁条部の外側における上記基板部には、それぞれ弾力性を有するバックアップ材が設けてあることを特徴とする乾式目地部材。
【発明の詳細な説明】
【技術分野】
【０００１】
本発明は、複数の外壁板を接合して外壁面を構成してなる外壁施工構造、及びこれに用いる乾式目地部材に関する。
【背景技術】
【０００２】
従来より、複数の外壁板を接合して外壁面を構成してなる外壁施工構造において、隣合う外壁板の間の目地部に乾式目地部材を配設することが行われている（特許文献１参照）。
該乾式目地部材を打設することにより、上記目地部からの雨水の浸入を防止している。また、乾式目地部材は、外壁表面に露出するものであるため、外観上、隣接する外壁板の色調等との調和を図る必要がある。それ故、乾式目地部材を、例えば、外壁板の色調と同系色のものとすることが行われる。
【０００３】
しかしながら、外壁面に色調の異なる領域が複数存在する場合、各領域の色調に乾式目地部材の色調を合わせようとすると、部分的に異なる色調の乾式目地部材を配設する必要が生ずる。即ち、例えば、外壁板と色調の異なる幕板を配設する場合や、建物の一階部と二階部とで外壁面の色調を異ならせる場合等に上記の必要性が生ずる。
【０００４】
ところが、複数の乾式目地部材を一つの目地部に連続して配設すると、乾式目地部材が目地部の形成方向に伸縮した場合等に、上記乾式目地部材の境界部において隙間が生じるおそれがある。この隙間から雨水が浸入し、防水機能を充分に発揮することが困難となるおそれがある。
【０００５】
また、打設された乾式目地部材の表面の一部に塗料を塗布して、部分的に色調を異ならせることも考えられるが、この場合には、経時変化により、塗膜表面にクラックが生じるおそれがあり、外観意匠性の低下を招くおそれがある。また、工期も長くなってしまうおそれがある。
【０００６】
【特許文献１】特開２００１−１７３１９２号公報
【発明の開示】
【発明が解決しようとする課題】
【０００７】
本発明は、かかる従来の問題点に鑑みてなされたものであり、施工容易で外観意匠性及び防水性に優れた外壁施工構造及びこれに用いる乾式目地部材を提供しようとするものである。
【課題を解決するための手段】
【０００８】
第１の発明は、複数の外壁板を接合して外壁面を構成してなる外壁施工構造において、
隣合う上記外壁板の間の目地部には、建物の構造躯体に固定されるベース部材と、該ベース部材に嵌合固定される複数のトップ部材とを有する乾式目地部材が配設されており、
上記ベース部材は、帯状の基板部と、該基板部の長手方向に沿って形成された一対の壁条部とを有すると共に、該一対の壁条部の間に嵌合溝部を形成してなり、
上記トップ部材は、それぞれ、上記目地部を閉塞するための弾力性を有する表面目地形成部と、該表面目地形成部の長さ方向に沿って設けた凸条部とを有し、
上記複数のトップ部材は、上記凸条部を上記ベース部材の上記嵌合溝部に嵌合させると共に上記表面目地形成部を上記外壁板の端面に密着させた状態で配設されており、
かつ、上記目地部には、互いに異なる色調の上記表面目地形成部を有する上記トップ部材が隣接配置されていると共に、隣合う該トップ部材は、互いに合決り接合又は本実接合されていることを特徴とする外壁施工構造にある（請求項１）。
【０００９】
次に、本発明の作用効果につき説明する。
上記外壁施工構造においては、互いに色調の異なる複数種類の乾式目地部材を、連続する一つの目地部に配設してある。そのため、例えば、外壁面の部分的な色調の変化に応じて、互いに色調の異なる複数種類のトップ部材を配設することにより、全体として調和の取れた外観意匠を有する外壁面を構成することができる。
【００１０】
また、上記外壁施工構造は、上述のごとく、上記トップ部材の表面目地形成部を上記外壁板の端面に密着させている。そのため、隣り合う外壁板の間の目地部からの雨水の浸入を防ぐことができる。
そして、隣合う上記トップ部材は、互いに合決り接合又は本実接合されているため、２つのトップ部材の間に隙間が生ずることを防ぐことができる。即ち、単なる突合せ接合の場合とは異なり、合決り接合や本実接合の場合には２つのトップ部材の間の接触面積を大きくすることができる。これにより、両者間の結合力を得ることができ、隙間の発生を抑制することができる。また、たとえ２つのトップ部材が互いに離れる方向に多少ずれたとしても、実部が形成されている分、この実部において雨水の浸入を抑制することができる。
【００１１】
また、上記外壁施工構造における目地部の処理は、上記乾式目地部材を施工することにより行うことができる。即ち、例えば上記構造躯体に取付けた胴縁に上記ベース部材を固定し、外壁板を施工した後、上記トップ部材を上記ベース部材に嵌合させることにより、目地部の処理を容易に行うことができる。そのため、上記外壁施工構造は、容易に施工することができる。
【００１２】
以上のごとく、本発明によれば、施工容易で外観意匠性及び防水性に優れた外壁施工構造を提供することができる。
【００１３】
第２の発明は、隣合って配設された外壁板の間の目地部に配設される乾式目地部材であって、
該乾式目地部材は、建物の構造躯体に固定されるベース部材と、該ベース部材に嵌合固定される複数のトップ部材とを有し、
上記ベース部材は、帯状の基板部と、該基板部の長手方向に沿って形成された一対の壁条部とを有すると共に、該一対の壁条部の間に嵌合溝部を形成してなり、
上記トップ部材は、それぞれ、上記目地部を閉塞するための弾力性を有する表面目地形成部と、該表面目地形成部の長さ方向に沿って設けた凸条部とを有し、
上記複数のトップ部材は、上記凸条部を上記ベース部材の上記嵌合溝部に嵌合させると共に上記表面目地形成部を上記外壁板の端面に密着させることができるよう構成されており、
かつ、上記乾式目地部材は、互いに異なる色調の上記表面目地形成部を有する上記トップ部材を有すると共に、隣合う該トップ部材は、互いに合決り接合又は本実接合することができるよう、それぞれの端部に実部を設けてなることを特徴とする乾式目地部材にある（請求項１１）。
【００１４】
次に、本発明の作用効果につき説明する。
上記乾式目地部材は、互いに異なる色調の表面目地形成部を有するトップ部材を有する。それ故、互いに色調の異なる複数種類のトップ部材を、連続する一つの目地部に配設することができる。そのため、例えば、外壁面の部分的な色調の変化に応じて、互いに色調の異なる複数種類のトップ部材を配設することにより、全体として調和の取れた外観意匠を有する外壁面を構成することができる。
【００１５】
また、上記トップ部材の表面目地形成部は、上記外壁板の端面に密着させることができるため、隣り合う外壁板の間の目地部からの雨水の浸入を防ぐことができる。
そして、隣合う上記トップ部材は、互いに合決り接合又は本実接合することができるよう、それぞれの端部に実部が形成されているため、２つのトップ部材の間に隙間が生ずることを防ぐことができる。即ち、単なる突合せ接合の場合とは異なり、合決り接合や本実接合の場合には２つのトップ部材の間の接触面積を大きくすることができる。これにより、両者間の結合力を得ることができ、隙間の発生を抑制することができる。また、たとえ２つのトップ部材が互いに離れる方向に多少ずれたとしても、実部が形成されている分、この実部において雨水の浸入を抑制することができる。
【００１６】
また、上記乾式目地部材を用いることにより、目地部の処理を容易に行うことができる。即ち、例えば上記構造躯体に取付けた胴縁に上記ベース部材を固定し、外壁板を施工した後、上記トップ部材を上記ベース部材に嵌合させることにより、目地部の処理を行うことができる。
【００１７】
以上のごとく、本発明によれば、施工容易で外観意匠性及び防水性に優れた外壁面を構成することができるシーリング区分け部材を提供することができる。
【発明を実施するための最良の形態】
【００１８】
上記第１の発明（請求項１）において、上記ベース部材は、上記構造躯体に対し、例えば胴縁を介して固定してもよいし、直接固定してもよい。
また、上記目地部は、上下方向に形成された縦目地であっても、左右方向に形成された横目地であっても、場合によっては斜めの目地であってもよい。
なお、本明細書においては、外壁面の外側を「前」、内側を「後」として表す。上記乾式目地部材等の部材についても、外壁施工構造の一部として配設された状態を基準に、「前」、「後」、「左」、「右」、「上」、「下」を表す。
【００１９】
また、上記外壁面は、互いに色調の異なる領域を複数有しており、隣合う上記トップ部材の上記表面目地形成部の前面の端部は、上記領域の境界である色調境界線と連続する位置において互いに突き合わされていることが好ましい（請求項２）。
この場合には、外壁面の色柄模様を、目地部においても途切れることなく形成することができる。それ故、一層外観意匠性に優れた外壁施工構造を得ることができる。
【００２０】
上記色調の異なる複数の領域は、例えば、建物の一階部と二階部との間等に配設される幕板によって形成されたり、互いに異なる色彩の外壁板を配設することにより形成されたり、各外壁板自体に形成された色調の異なる複数の領域によって形成されたりする。
そして、これらの領域の境界である上記色調境界線は、上記目地部を横切るように形成される。
【００２１】
上記実部の長さは、５〜１５ｍｍであることが好ましい。実部の長さが５ｍｍ未満の場合、トップ部材間における隙間の発生を充分に防止することが困難となり、防水を確保することが困難となるおそれがある。一方、実部の長さが１５ｍｍを超える場合には、実部の形成が困難であると共に、その強度を確保することが困難となるおそれがある。
【００２２】
上記第２の発明（請求項１１）において、上記ベース部材は、例えば、亜鉛メッキ鋼板等の芯金の表面にＰＶＣ（ポリ塩化ビニル）等の合成ゴムを被覆してなるものを用いることができる。
また、上記トップ部材は、例えば、ＥＰＤＭ、ＣＲ（クロロプレン）、ＣＳＭ（クロロスルホン化ポリエチレン）等によって構成することができる。
【００２３】
次に、第１の発明（請求項１）又は第２の発明（請求項１１）において、隣合う上記トップ部材は、互いに合決り接合されており、一方の上記トップ部材の上記実部は下実部であり、他方の上記トップ部材の上記実部は上実部であることが好ましい（請求項３、請求項１２）。
この場合には、上記乾式目地部材のトップ部材を、容易に配設することができる。
なお、上下方向に形成される縦目地に上記乾式目地部材を配設する場合には、下側に配設するトップ部材の上端部に下実部を形成し、上側に配設するトップ部材の下端部に上実部を形成することが好ましい。これにより、トップ部材の配設作業がより容易となると共に、トップ部材のめくれ上がりを効果的に防ぐことができる。
【００２４】
また、上記下実部は、上記トップ部材の端部における上記凸条部及び上記表面目地形成部の後部からなり、上記上実部は、上記トップ部材の端部における上記表面目地形成部の前部からなることが好ましい（請求項４、請求項１３）。
この場合には、面積の比較的広い表面目地形成部において、トップ部材が重なり合うため、トップ部材同士の結合力を大きくすることができる。それ故、トップ部材の間の隙間が生じることをより抑制することができる。また、たとえ、２つのトップ部材が互いに離れる方向にずれた場合にも、上記下実部における表面目地形成部によって、雨水の浸入を効果的に防ぐことができる。
【００２５】
また、上記下実部は、上記トップ部材の端部における上記凸条部からなり、上記上実部は、上記トップ部材の端部における上記表面目地形成部からなるものとすることができる（請求項５、請求項１４）。
この場合には、上記下実部及び上実部を容易に形成することができる。
【００２６】
また、上記下実部は、上記トップ部材の端部における上記凸条部の後部からなり、上記上実部は、上記トップ部材の端部における上記凸条部の前部及び上記表面目地形成部からなるものとすることができる（請求項６、請求項１５）。
この場合にも、上記下実部及び上実部を容易に形成することができる。
【００２７】
また、上記下実部には、前方へ突出した前方係合部が形成され、上記上実部には、後方へ突出した後方係合部が形成されており、上記前方係合部と上記後方係合部とは互いに係合されているものとすることができる（請求項７）。
この場合には、トップ部材同士の結合力をより大きくして、トップ部材の間に隙間が生じることをより抑制することができる。
【００２８】
また、隣合う上記トップ部材は、互いに本実接合されており、一方の上記トップ部材の上記実部は雄実部であり、他方の上記トップ部材の上記実部は雌実部であるものであってもよい（請求項８、請求項１７）。
この場合には、２つのトップ部材の結合力を大きくすることができる。
【００２９】
また、互いに接合される上記実部の少なくとも一方には、コーキング材が打設されていることが好ましい（請求項９、請求項１８）。
この場合には、２つのトップ部材が、実部において互いに接着されることとなるため、両者の結合力をより大きくすることができる。それ故、２つのトップ部材の間に隙間ができることを充分に防ぐことができ、雨水の浸入を充分に防ぐことができる。
上記コーキング材としては、例えば、スチレン系エラストマー、シリコーン系、変性シリコーン系、ポリサルファイド系、ポリウレタン系等の樹脂、ポリプロピレン、ポリエチレン、ポリ塩化ビニル、エチレンプロピレンゴムの発泡体等を用いることができる。
【００３０】
また、上記一対の壁条部の外側における上記基板部には、それぞれ弾力性を有するバックアップ材が設けてあり、該バックアップ材は、上記外壁板の側端部における裏側面に密着していることが好ましい（請求項１０）。
この場合には、上記ベース部材と上記トップ部材と上記外壁板との間に導水路が形成される。そして、該導水路の一部は、上記バックアップ材に外壁板の側端部における裏側面を密着させることにより形成されている。即ち、上記導水路は、上記構造躯体や、側端部を除く外壁板の裏側面とは遮断された空間である。
【００３１】
そのため、上記目地部において、上記表面目地形成部と上記外壁板の端面との間から万一雨水が浸入しても、その雨水は、上記導水路を通って下方へ流れ、上記外壁板の裏側面や上記構造躯体に達するおそれがない。
それ故、上記外壁施工構造は防水性に優れ、雨水の浸入による外壁板や構造躯体の劣化を招くおそれがない。
【００３２】
次に、上記第２の発明（請求項１１）において、上記下実部には、前方へ突出した前方係合部が形成され、上記上実部には、後方へ突出した後方係合部が形成されており、上記前方係合部と上記後方係合部とは互いに係合可能に構成されていることが好ましい（請求項１６）。
この場合には、トップ部材同士の結合力をより大きくして、トップ部材の間の隙間が生じることをより抑制することができる。
【００３３】
また、上記一対の壁条部の外側における上記基板部には、それぞれ弾力性を有するバックアップ材が設けてあることが好ましい（請求項１９）。
この場合には、上記バックアップ材に外壁板の裏側面を密着させることにより、上記ベース部材と上記トップ部材と上記外壁板との間に導水路を形成することができる。これにより、上述したごとく、防水性に優れた外壁施工構造を得ることができ、雨水の浸入による外壁板や構造躯体の劣化を防ぐことができる。
【実施例】
【００３４】
（実施例１）
本発明の実施例にかかる外壁施工構造及び乾式目地部材につき、図１〜図１５を用いて説明する。
本例の外壁施工構造１は、図２に示すごとく、複数の外壁板２を接合して外壁面１８を構成してなる。
【００３５】
図８、図９に示すごとく、隣合う上記外壁板２の間の目地部１７には、建物の構造躯体１０に固定されるベース部材３１と、該ベース部材３１に嵌合固定される複数のトップ部材３２、３２０とを有する乾式目地部材３が配設されている。
上記ベース部材３１は、図１、図６、図７に示すごとく、帯状の基板部３１１と、該基板部３１１の長手方向に沿って形成された一対の壁条部３１２とを有すると共に、該一対の壁条部３１２の間に嵌合溝部３１４を形成してなる。
また、該嵌合溝部３１４の底部には、小さく隆起した中央凸条３１８が形成されている。
【００３６】
上記トップ部材３２、３２０は、図１、図４に示すごとく、それぞれ、上記目地部１７を閉塞するための弾力性を有する表面目地形成部３２１と、該表面目地形成部３２１の長さ方向に沿って設けた凸条部３２２とを有する。
上記複数のトップ部材３２、３２０は、図８、図１５に示すごとく、凸条部３２２をベース部材３１の嵌合溝部３１４に嵌合させると共に表面目地形成部３２１を外壁板２の端面２３に密着させた状態で配設されている。
【００３７】
そして、図１、図３に示すごとく、上記外壁施工構造１は、互いに異なる色調の表面目地形成部３２１を有する上記トップ部材３２、３２０を上下に隣接配置していると共に、上下に隣合う該トップ部材３２、３２０は、互いに合決り接合されている。
また、上記目地部１７は、上下方向に形成された縦目地である。
【００３８】
図２、図１３に示すごとく、上記外壁面１８は、互いに色調の異なる領域を複数有している。そして、図２、図３、図１３に示すごとく、隣合う上記トップ部材３２、３２０の表面目地形成部３２１の前面の端部３２３は、上記領域の境界である色調境界線１９と連続する位置において互いに突き合わされている。
【００３９】
即ち、上記外壁面１８には、建物の一階部と二階部との間等に配設される幕板５が配設されており、該幕板５は他の部分の外壁面１８とは色彩が異なっている。例えば幕板５を茶色とし、他の外壁面１８を白色とすることができる。これにより、色調の異なる領域が複数形成され、その色調境界線１９と連続する位置において、隣合うトップ部材３２、３２０の表面目地形成部３２１の端部３２３が互いに突き合わされている。
【００４０】
そして、色調境界線１９は２箇所において目地部１７を横切るため、３個のトップ部材３２、３２０を配設し、それらの表面目地形成部３２１の突合せ部分（端部３２３）は２箇所に設けてある。この２箇所の突合せ部分（端部３２３）が色調境界線１９と連続するように配置される。
そして、目地部１７における幕板５に隣接する部分には幕板５と同系色（例えば茶色系）のトップ部材３２０が打設され、それ以外の部分には外壁板２と同系色（例えば白色系）のトップ部材３２が打設される。
【００４１】
図１、図３に示すごとく、隣合う上記トップ部材３２、３２０のうちの一方のトップ部材３２（３２０）の実部は下実部３３であり、他方のトップ部材３２０（３２）の実部は上実部３４である。
上記下実部３３は、図１、図３〜図５に示すごとく、トップ部材３２（３２０）の端部における凸条部３２２及び表面目地形成部３２１の後部からなる。また、上記上実部３４は、トップ部材３２（３２０）の端部における表面目地形成部３２１の前部からなる。
上記下実部３３及び上実部３４の長さは、約１０ｍｍである。
【００４２】
また、図１、図４に示すごとく、上記下実部３３の前面にはコーキング材３５が打設されている。
また、図１、図６、図７に示すごとく、上記一対の壁条部３１２の外側における基板部３１１には、それぞれ弾力性を有するバックアップ材３１３が設けてある。該バックアップ材３１３は、図８、図１５に示すごとく、外壁板２の側端部２１における裏側面２２に密着している。
【００４３】
また、図１５に示すごとく、ベース部材３１とトップ部材３２、３２０と外壁板２との間には、導水路１３が形成されている。
図９に示すごとく、上記乾式目地部材３は縦方向の目地部１７に配設され、上記導水路１３はこれに沿って上下方向に形成されている。
【００４４】
また、図１５に示すごとく、上記外壁板２の目地部１７に嵌合した乾式目地部材３のトップ部材３２、３２０は、表面目地形成部３２１の両脇部３２５が中央部３２４に対し略直角に折れ曲がり、上記外壁板２の端面２３に密着している。
また、図１、図４、図１４に示すごとく、上記トップ部材３２、３２０の凸条部３２２には、その左右に二対の突起条３２６が形成されている。図１５に示すごとく、上記凸条部３２２を上記ベース部材３１の嵌合溝部３１４に嵌合した状態においては、上記突起条３２６がベース部材３１の壁条部３１２に係合してその抜けを防止している。
即ち、上記突起条３２６が広がる方向へ付勢された状態で、上記凸条部３２２は上記嵌合溝部３１４に嵌合されている。
【００４５】
また、図６、図１４、図１５に示すごとく、上記ベース部材３１の基板部３１１は、亜鉛メッキ鋼板からなる芯材３１６の表面にＰＶＣ（ポリ塩化ビニル）等の合成ゴムを被覆してなる。また、上記トップ部材３２、３２０は、クロロスルホン化ポリエチレン等の合成ゴムからなる。また、上記バックアップ材３１３は、独立気泡タイプの樹脂発泡体（発泡ＥＰＤＭ）であり、接着剤３１７を介して上記基板部３１１に接着してある。
一方、上記トップ部材３２、３２０は、ＥＰＤＭとＣＲ（クロロプレン）によって構成することができる。また、トップ部材３２、３２０には、その長さ方向に沿って、補強用のグラスファイバーを埋め込んである。
【００４６】
また、本例の外壁施工構造１においては、図８、図９に示すごとく、上記外壁板２が、留め付け金具１１を介して、構造躯体１０に取付けた胴縁１４に対して固定されている。即ち、上記留め付け金具１１を上記胴縁１４に釘１１１により固定し、上記外壁板２は、その上端部２４及び下端部２５を上記留め付け金具１１に係合固定している。上記胴縁１４は、上記構造躯体１０に防水紙１６を介して縦方向に固定されている。
【００４７】
図１、図４に示すごとく、上記トップ部材３２、３２０における表面目地形成部３２１の前面の色は、その幅方向の中央部３２４が外壁板２あるいは幕板５の表面の色に比べて若干暗い色としている。本例においては、外壁板２あるいは幕板５の表面色とは若干異なる、他の目地（図示略）の色と略同等の色としている。そして、それ以外の部分である両脇部３２５が上記外壁板２あるいは幕板５の表面と略同等の色とする。これにより、上記外壁板２に上記乾式目地部材３が違和感なく融合すると共に、立体感を表出している。
なお、場合によっては、上記表面目地形成部３２１の前面の色を単一色、即ち中央部３２４と両脇部３２５とを同一色としてもよい。
【００４８】
次に、本例の外壁施工構造の施工方法につき説明する。
まず上記乾式目地部材３のベース部材３１を構造躯体１０に固定した胴縁１４に、釘を打って固定し、上記留め付け金具１１を上記胴縁１４に釘１１１によって固定する。
次いで、図１４に示すごとく、上記左右の外壁板２、２を、それぞれの側端部２１における裏側面２２を上記バックアップ材３１３に密着させて、上記留め付け金具１１を介して上記構造躯体１０に固定する。また、幕板５についても、同様に配設する。
なお、外壁板２や幕板５は、留め付け金具１１に限らず、釘やビス等により構造躯体１０に留め付けてもよい。
【００４９】
次いで、図１５、図９に示すごとく、上記トップ部材３２、３２０を、隣り合う上記外壁板２の間の目地部１７に嵌め込む。このとき、図１５に示すごとく、上記トップ部材３２、３２０の凸条部３２２を上記ベース部材３１の嵌合溝部３１４に嵌合させると共に、上記表面目地形成部３２１の両脇部３２５を上記外壁板２の端面２３に密着させる。
また、上記トップ部材３２、３２０の凸条部３２２の後端部３２７を、ベース部材３１の中央凸条３１８に当接させる。
【００５０】
図１０に示す目地部１７に上記トップ部材３２、３２０を配設するに当っては、まず、図１１に示すごとく、２本の色調境界線１９のうちの下側の色調境界線１９に、表面目地形成部３２１の端部３２３を位置合せしつつ、トップ部材３２を配設する。このトップ部材３２は、外壁板２と同系色（白色系）の表面目地形成部３２１を有する。
【００５１】
次いで、図１２に示すごとく、左右の幕板５の間の目地部１７に、幕板５と同系色（茶色系）の表面目地形成部３２１を有するトップ部材３２０を配設する。該トップ部材３２０は、既に配設されたトップ部材３２の下実部３３に、上実部３４を重ね合わせると共に、表面目地形成部３２１の端部３２３を突き合わせる。また、トップ部材３２０における表面目地形成部３２１の上側の端部３２３は、上側の色調境界線１９と連続する位置に配される。
次いで、図１３に示すごとく、上記トップ部材３２０の上側に、合決り接合させつつ、外壁板２と同系色のトップ部材３２を配設する。
【００５２】
次に、本例の作用効果につき説明する。
上記外壁施工構造１においては、図２、図１３に示すごとく、互いに色調の異なる複数種類の乾式目地部材３を、連続する一つの目地部１７に配設してある。そのため、例えば、外壁面１８の部分的な色調の変化に応じて、互いに色調の異なる複数種類のトップ部材３２、３２０を配設することにより、全体として調和の取れた外観意匠を有する外壁面１８を構成することができる。
【００５３】
また、上記外壁施工構造１は、上述のごとく、上記トップ部材３２、３２０の表面目地形成部３２１を上記外壁板２の端面２３に密着させている。そのため、隣り合う外壁板２の間の目地部１７からの雨水の浸入を防ぐことができる。
そして、隣合う上記トップ部材３２、３２０は、互いに合決り接合されているため、２つのトップ部材３２、３２０の間に隙間が生ずることを防ぐことができる。即ち、単なる突合せ接合の場合とは異なり、合決り接合の場合には２つのトップ部材３２、３２０の間の接触面積を大きくすることができる。これにより、両者間の結合力を得ることができ、隙間の発生を抑制することができる。また、たとえ２つのトップ部材３２、３２０が互いに離れる方向に多少ずれたとしても、下実部３３が形成されている分、この下実部３３において雨水の浸入を抑制することができる。
【００５４】
また、上記外壁施工構造１における目地部１７の処理は、上記乾式目地部材３を施工することにより行うことができる。即ち、構造躯体１０に取付けた胴縁１４に上記ベース部材３１を固定し、外壁板２を施工した後、上記トップ部材３２、３２０を上記ベース部材３１に嵌合させることにより、目地部１７の処理を容易に行うことができる。そのため、上記外壁施工構造１は、容易に施工することができる。
【００５５】
また、図２、図３、図１３に示すごとく、上記外壁面１８は、互いに色調の異なる領域を複数有しており、隣合うトップ部材３２、３２０の表面目地形成部３２１の端部３２３は、上記領域の境界である色調境界線１９と連続する位置において互いに突き合わされている。これにより、外壁面１８の色柄模様を、目地部１７においても途切れることなく形成することができる。それ故、一層外観意匠性に優れた外壁施工構造１を得ることができる。
【００５６】
また、図３、図１１、図１２に示すごとく、下側に配設するトップ部材３２（３２０）の上端部に下実部３３を形成し、上側に配設するトップ部材３２０（３２）の下端部に上実部３４を形成してある。これにより、トップ部材３２、３２０の配設作業がより容易となると共に、トップ部材３２、３２０のめくれ上がりを効果的に防ぐことができる。
【００５７】
また、図１、図４、図５に示すごとく、上記下実部３３は、上記トップ部材３２の端部における凸条部３２２及び表面目地形成部３２１の後部からなり、上記上実部３４は、上記トップ部材３２の端部における表面目地形成部３２１の前部からなる。これにより、面積の比較的広い表面目地形成部３２１において、トップ部材３２、３２０が重なり合うため、トップ部材３２、３２０同士の結合力を大きくすることができる。それ故、トップ部材３２、３２０の間の隙間が生じることをより抑制することができる。また、たとえ、２つのトップ部材３２、３２０が互いに離れる方向にずれた場合にも、上記下実部３３における表面目地形成部３２１によって、雨水の浸入を効果的に防ぐことができる。
【００５８】
また、図４、図５に示すごとく、トップ部材３２、３２０の下実部３３の前面には、コーキング材３５が打設されている。これにより、２つのトップ部材３２、３２０が、実部において互いに接着されることとなるため、両者の結合力をより大きくすることができる。それ故、２つのトップ部材３２、３２０の間に隙間ができることを、充分に防ぐことができ、雨水の浸入を充分に防ぐことができる。
【００５９】
また、図６、図７、図１４、図１５に示すごとく、上記ベース部材３１は、左右にそれぞれバックアップ材３１３を設けてなり、該バックアップ材３１３は、外壁板２の側端部２１における裏側面２２に密着している。これにより、図１５に示すごとく、ベース部材３１とトップ部材３２と外壁板２との間に導水路１３が形成される。そして、上記導水路１３は、構造躯体１０や、側端部２１を除く外壁板２の裏側面２２とは遮断された空間である。
【００６０】
そのため、上記目地部１７において、表面目地形成部３２１と外壁板２の端面２３との間から万一雨水が浸入しても、その雨水は、上記導水路１３を通って下方へ流れ、外壁板２の裏側面２２や構造躯体１０に達するおそれがない。
それ故、上記外壁施工構造１は防水性に優れ、雨水の浸入による外壁板２や構造躯体１０の劣化を招くおそれがない。
【００６１】
以上のごとく、本例によれば、施工容易で外観意匠性及び防水性に優れた外壁施工構造を提供することができる。
【００６２】
（実施例２）
本例は、図１６〜図１８に示すごとく、下実部３３は、トップ部材３２、３２０の端部における凸条部３２２の後部からなり、上実部３４は、トップ部材３２、３２０の端部における凸条部３２２の前部及び表面目地形成部３２１からなる、トップ部材３２、３２０を有する乾式目地部材３の例である。
その他は、実施例１と同様である。
この場合には、下実部３３及び上実部３４を容易に形成することができる。
その他、実施例１と同様の作用効果を有する。
【００６３】
（実施例３）
本例は、図１９、図２０に示すごとく、下実部３３は、トップ部材３２、３２０の端部における凸条部３２２からなり、上実部３４は、トップ部材３２、３２０の端部における表面目地形成部３２１からなる、トップ部材３２、３２０を有する乾式目地部材３の例である。
その他は、実施例１と同様である。
この場合には、下実部３３及び上実部３４を容易に形成することができる。
その他、実施例１と同様の作用効果を有する。
【００６４】
（実施例４）
本例は、図２１、図２２に示すごとく、下実部３３には前方へ突出した前方係合部３３１が形成され、上実部３４には後方へ突出した後方係合部３４１が形成された、トップ部材３２、３２０を有する乾式目地部材３の例である。
上記下実部３３と上実部３４とを合決り接合したとき、上記前方係合部３３１と後方係合部３４１とは互いに係合される。
その他は、実施例１と同様である。
【００６５】
この場合には、トップ部材３２同士の結合力をより大きくすることができる。それ故、トップ部材３２の間の隙間が生じることをより抑制することができる。
その他、実施例１と同様の作用効果を有する。
【００６６】
また、図２３に示すごとく、上実部３４の後方係合部３４１には、更に後方に突出した突起部３４２を形成し、下実部３３には、該突起部３４２が嵌合する嵌合凹部３３２を形成することもできる。
この場合には、上記突起部３４２を嵌合凹部３３２に嵌合させつつ、隣合うトップ部材３２、３２０を合決り接合する。
これにより、経時変化によるトップ部材３２の浮き上がりを防止することができると共に、防水性を向上させることができる。
【００６７】
（実施例５）
本例は、隣合うトップ部材を、互いに本実接合した外壁施工構造の例である（図示略）。
一方のトップ部材の端部に雄実部を形成し、他方のトップ部材の端部に雌実部を形成し、両者を本実接合する。
その他は、実施例１と同様である。
この場合には、２つのトップ部材の結合力を大きくすることができる。
その他、実施例１と同様の作用効果を有する。
【００６８】
（実施例６）
本例は、図２４に示すごとく、各外壁板２自体に形成された色調の異なる複数の領域によって、外壁面１８に色調境界線１９が形成された外壁施工構造１の例である。
この場合にも、上記色調境界線１９が目地部１７を横切る部分に表面目地形成部３２１の突合せ部分（端部３２３）が配置されるように、トップ部材３２、３２０を配設する。
その他は、実施例１と同様である。
本例の場合にも、施工容易で外観意匠性及び防水性に優れた外壁施工構造を提供することができる。その他、実施例１と同様の作用効果を有する。
【００６９】
（実施例７）
本例は、図２５に示すごとく、互いに異なる色彩の外壁板２ａ、２ｂを配設することにより、色調境界線１９が形成された外壁施工構造１の例である。即ち、互いに色調の異なる外壁板２ａ及び外壁板２ｂを隣接配置し、両者の間に色調境界線１９を形成する。
例えば、外壁板２ａを白色とし、外壁板２ｂを茶色とすることができる。
【００７０】
そして、色調境界線１９が目地部１７を横切る部分に表面目地形成部３２１の突合せ部分（端部３２３）が配置されるように、トップ部材３２、３２０を配設する。
本例の場合にも、施工容易で外観意匠性及び防水性に優れた外壁施工構造を提供することができる。その他、実施例１と同様の作用効果を有する。
【００７１】
上記各実施例においては、トップ部材を３個或いは２個設けた乾式目地部材を示したが、トップ部材の数は、４個以上とすることもできる。
また、目地部として縦目地の例を示したが、本発明を、水平方向に形成される横目地に適用することもできる。
また、トップ部材の表面目地形成部の色彩としては、所望の色彩を採用することができ、上述した以外にも、例えば、ベージュ、ブラウン、グレー、アンバー、ブラック、オリーブなどを適宜採用することができる。
【図面の簡単な説明】
【００７２】
【図１】実施例１における、乾式目地部材の斜視図。
【図２】実施例１における、外壁施工構造の正面図。
【図３】実施例１における、外壁施工構造の縦断面図であり、図１３のＡ−Ａ線矢視断面図。
【図４】実施例１における、トップ部材の斜視図。
【図５】実施例１における、トップ部材の側面図。
【図６】実施例１における、ベース部材の斜視図。
【図７】実施例１における、ベース部材の正面図。
【図８】実施例１における、外壁施工構造の斜視図。
【図９】実施例１における、外壁施工構造の正面図。
【図１０】実施例１における、トップ部材配設前の外壁施工構造正面図。
【図１１】実施例１における、１個目のトップ部材を配設した後の外壁施工構造の正面図。
【図１２】実施例１における、２個目のトップ部材を配設した後の外壁施工構造の正面図。
【図１３】実施例１における、３個目のトップ部材を配設した後の外壁施工構造の正面図。
【図１４】実施例１における、トップ部材配設前の目地部の断面図。
【図１５】実施例１における、トップ部材配設後の目地部の断面図。
【図１６】実施例２における、トップ部材の斜視図。
【図１７】実施例２における、乾式目地部材の斜視図。
【図１８】実施例２における、トップ部材の側面図。
【図１９】実施例３における、トップ部材の斜視図。
【図２０】実施例３における、トップ部材の側面図。
【図２１】実施例４における、トップ部材の斜視図。
【図２２】実施例４における、トップ部材の側面図。
【図２３】実施例４における、突起部と嵌合凹部を設けたトップ部材の側面図。
【図２４】実施例６における、外壁施工構造の正面図。
【図２５】実施例７における、外壁施工構造の正面図。
【符号の説明】
【００７３】
１  外壁施工構造
１７  目地部
１８  外壁面
２  外壁板
２３  端面
３  乾式目地部材
３１  ベース部材
３１１  基板部
３１２  壁条部
３１４  嵌合溝部
３２、３２０  トップ部材
３２１  表面目地形成部
３２２  凸条部
３３  下実部
３４  上実部
【図１】
2005240429.tif 000003
【図２】
2005240429.tif 000004
【図３】
2005240429.tif 000005
【図４】
2005240429.tif 000006
【図５】
2005240429.tif 000007
【図６】
2005240429.tif 000008
【図７】
2005240429.tif 000009
【図８】
2005240429.tif 000010
【図９】
2005240429.tif 000011
【図１０】
2005240429.tif 000012
【図１１】
2005240429.tif 000013
【図１２】
2005240429.tif 000014
【図１３】
2005240429.tif 000015
【図１４】
2005240429.tif 000016
【図１５】
2005240429.tif 000017
【図１６】
2005240429.tif 000018
【図１７】
2005240429.tif 000019
【図１８】
2005240429.tif 000020
【図１９】
2005240429.tif 000021
【図２０】
2005240429.tif 000022
【図２１】
2005240429.tif 000023
【図２２】
2005240429.tif 000024
【図２３】
2005240429.tif 000025
【図２４】
2005240429.tif 000026
【図２５】
2005240429.tif 000027